(57)【特許請求の範囲】
【請求項１】
上面を形成する平板状のトップシートと、底面を形成する略箱状のボトムシートにより構成され、前記トップシートと前記ボトムシートとの間の内部に空間を有する中空状に形成されると共に、着脱自在に設けられたフロアパネルと、
前記フロアパネルを支持する複数の支持脚とを備えたフリーアクセスフロアにおいて、
前記トップシートは、その厚さ方向に貫通する複数の貫通孔を有し、
前記ボトムシートは、その底面側の面から前記トップシートに向かって略半球状に凹むように形成され、その先端の平坦部が前記トップシートに接合され、前記平坦部の周囲の球面部に複数の貫通孔が形成された複数の補強形状部を有し、
前記支持脚は、その平面形状が略四角形である前記フロアパネルの四隅各部を、その下側から支持するパネル調整台と、前記パネル調整台の下端部に連結され、コンクリート面上の支持板から立設した脚部とを有し、
パネル調整台の下端部から前記脚部にわたって、その外側に筒状の蓄熱材が設けられた
ことを特徴とするフリーアクセスフロア。
【請求項２】
上面を形成する平板状のトップシートと、底面を形成する略箱状のボトムシートにより構成され、前記トップシートと前記ボトムシートとの間の内部に空間を有する中空状に形成されると共に、着脱自在に設けられたフロアパネルと、
前記フロアパネルを支持する複数の支持脚とを備えたフリーアクセスフロアにおいて、
前記トップシートは、その厚さ方向に貫通する複数の貫通孔を有し、
前記ボトムシートは、その底面側の面から前記トップシートに向かって略半球状に凹むように形成され、その先端の平坦部が前記トップシートに接合され、前記平坦部の周囲の球面部に複数の貫通孔が形成された複数の補強形状部を有し、
前記支持脚は、その平面形状が略四角形である前記フロアパネルの四隅各部を、その下側から支持するパネル調整台と、前記パネル調整台の下端部に連結され、コンクリート面上の支持板から立設した脚部とを有し、
複数の平板状の蓄熱材が、それぞれの平面が前記脚部の軸線を中心とした放射方向に沿うように、パネル調整台の下方の前記脚部の外側に設けられた
ことを特徴とするフリーアクセスフロア。
【発明の詳細な説明】
【技術分野】
【０００１】
本発明は、例えば床吹出し空調方式に用いられる、フリーアクセスフロアに関するものである。
【背景技術】
【０００２】
従来から、部屋の床下に空間を設け、その空間に各種電子機器のコード等を通すことができる構造になっているフリーアクセスフロアにおいて、例えばそのフロアパネルにあけた孔を通って床下から床上に空気が吹き出して、部屋の暖房や冷房等の空調を行うことができる構造になっている、床吹出し空調方式のフリーアクセスフロアがあった。
【０００３】
また、このような床吹出し空調方式のフリーアクセスフロアにおいて、フロアパネルの下方に蓄熱材を配置して、床下から吹き出す空気を、蓄熱材から放熱される高温度や低温度の熱により、暖めたり冷やしたりすることができる方式のものがあった（例えば、特許文献１参照）。
【０００４】
このような床吹出し空調方式のフリーアクセスフロアによれば、安価な夜間電力を利用して蓄熱材に高温度や低温度の熱を蓄熱し、昼間にこの高温度や低温度の熱を放熱して、床下から吹き出す空気を暖めたり冷やしたりすることができる。このため、蓄熱材を用いない場合に比べて、昼間の部屋の空調を行うときに空調機が消費するエネルギーを軽減することができる。
【先行技術文献】
【特許文献】
【０００５】
【特許文献１】特開２００９−１２１７３５号公報
【発明の概要】
【発明が解決しようとする課題】
【０００６】
しかしながら、上記従来の床吹出し空調方式のフリーアクセスフロアにおいては、特許文献１の図１に示すように、フロアパネルの下方に、支柱部１７の上端部間にわたされた吊り下げシャフト１８に、板状蓄熱部材１０が吊り下げられて配置された蓄熱部材支持体１５が設けられている。
【０００７】
このため、フロアパネルの下方空間に、各種電子機器のコード等を通したいときは、フロアパネルを外すだけではできず、上記のような、支柱部１７、吊り下げシャフト１８、板状蓄熱部材１０等を有する蓄熱部材支持体１５を他の場所に一度移動させる必要がある。このため、フリーアクセスフロアの使い勝手が著しく悪化するという問題があった。
【０００８】
また、上記従来の床吹出し空調方式のフリーアクセスフロアにおいては、上記のような、支柱部１７、吊り下げシャフト１８、板状蓄熱部材１０等を有する蓄熱部材支持体１５を備えているため、フリーアクセスフロアの構造が複雑化するという問題があった。
【０００９】
そこで本発明は、上記問題点に鑑みて、フリーアクセスフロアの使い勝手が悪化することを防止することができると共に、フリーアクセスフロアの構造が複雑化することを防止でき、かつ、空調機が消費するエネルギーを軽減することに貢献することができるフリーアクセスフロアを提供することを課題とするものである。
【課題を解決するための手段】
【００１０】
上記課題を解決するために、本発明によるフリーアクセスフロアは、
上面を形成する平板状のトップシートと、底面を形成する略箱状のボトムシートにより構成され、前記トップシートと前記ボトムシートとの間の内部に空間を有する中空状に形成されると共に、着脱自在に設けられたフロアパネルと、
前記フロアパネルを支持する複数の支持脚とを備えたフリーアクセスフロアにおいて、
前記トップシートは、その厚さ方向に貫通する複数の貫通孔を有し、
前記ボトムシートは、その底面側の面から前記トップシートに向かって略半球状に凹むように形成され、その先端の平坦部が前記トップシートに接合され、前記平坦部の周囲の球面部に複数の貫通孔が形成された複数の補強形状部を有し、
前記支持脚は、その平面形状が略四角形である前記フロアパネルの四隅各部を、その下側から支持するパネル調整台と、前記パネル調整台の下端部に連結され、コンクリート面上の支持板から立設した脚部とを有し、
パネル調整台の下端部から前記脚部にわたって、その外側に筒状の蓄熱材が設けられたことを特徴とするものである。
【００１１】
また、本発明によるフリーアクセスフロアは、
上面を形成する平板状のトップシートと、底面を形成する略箱状のボトムシートにより構成され、前記トップシートと前記ボトムシートとの間の内部に空間を有する中空状に形成されると共に、着脱自在に設けられたフロアパネルと、
前記フロアパネルを支持する複数の支持脚とを備えたフリーアクセスフロアにおいて、
前記トップシートは、その厚さ方向に貫通する複数の貫通孔を有し、
前記ボトムシートは、その底面側の面から前記トップシートに向かって略半球状に凹むように形成され、その先端の平坦部が前記トップシートに接合され、前記平坦部の周囲の球面部に複数の貫通孔が形成された複数の補強形状部を有し、
前記支持脚は、その平面形状が略四角形である前記フロアパネルの四隅各部を、その下側から支持するパネル調整台と、前記パネル調整台の下端部に連結され、コンクリート面上の支持板から立設した脚部とを有し、
複数の平板状の蓄熱材が、それぞれの平面が前記脚部の軸線を中心とした放射方向に沿うように、パネル調整台の下方の前記脚部の外側に設けられたことを特徴とするものである。
【発明の効果】
【００１３】
このような本発明のフリーアクセスフロアによれば、
着脱自在に設けられたフロアパネルと、このフロアパネルを支持する複数の支持脚とを備えたフリーアクセスフロアにおいて、前記支持脚に蓄熱材を設置したことにより、
フリーアクセスフロアの使い勝手が悪化することを防止することができると共に、フリーアクセスフロアの構造が複雑化することを防止でき、かつ、空調機が消費するエネルギーを軽減することに貢献することができる。
【図面の簡単な説明】
【００１４】
【図１】本発明の第１の実施の形態に係るフリーアクセスフロア２２を設置した部屋３０を示す断面図である。
【図２】図１中のフロアパネル２０を示す上面図である。
【図３】図２に示すフロアパネル２０の下面図である。
【図４】図３に示すフロアパネル２０のＡ−Ａ線矢視断面図である。
【図５】図１中のフロアパネル２０及び支持脚２８から構成されるフリーアクセスフロア２２を示すその拡大断面図である。
【図６】図５における蓄熱材５０のＢ−Ｂ線矢視断面図である。
【図７】本発明の第２の実施の形態に係るフリーアクセスフロア５２を示すその拡大断面図である。
【図８】図７における蓄熱材６０のＣ−Ｃ線矢視断面図である。
【発明を実施するための形態】
【００１５】
以下、本発明に係るフリーアクセスフロアを実施するための形態について、図面に基づいて具体的に説明する。
図１から図６は、本発明の第１の実施の形態に係るフリーアクセスフロア２２について説明するために参照する図である。
【００１６】
第１の実施の形態に係るフリーアクセスフロア２２は、図１に示すように、部屋３０の最下部に位置するコンクリート面２４の上方の、水平面上に縦横に互いに隣り合うように整列して複数配置されるフロアパネル２０と、支持脚２８とで構成されている。
【００１７】
そして、コンクリート面２４上に立設された、支持脚２８のパネル調整台２８ａが、その平面形状が略正方形であるフロアパネル２０の四隅各部を、その下側から支持するような構造になっていて、部屋３０の床部に敷設されている。
【００１８】
このようなフリーアクセスフロア２２により、部屋３０は、フロアパネル２０の下側に床下空間３０ａを有するようになっていて、この床下空間３０ａ内に各種電子機器のコード等を通すことができる構造になっている。
【００１９】
また、部屋３０は、その床下空間３０ａの壁面には給気口３０ｃが形成され、その床上空間３０ｂの壁面の上側には排気口３０ｄがそれぞれ形成されている。そして、部屋３０の給気口３０ｃと排気口３０ｄはそれぞれ、不図示のエアーダクトを介して、部屋３０の外部に設置されている空調機３１と連通している。この空調機３１により温度の調整等がされた空気が、給気口３０ｃから床下空間３０ａ内に供給されるようになっている。
【００２０】
また、フロアパネル２０には、その下方の床下空間３０ａから上方の床上空間３０ｂに空気を通す貫通孔２０ａが多数形成されている。また、フロアパネル２０の上には、下方から上方に空気を通す通気孔３２ａが形成されている複数のタイルカーペット３２が、水平面上に縦横に互いに隣り合うように整列して配置されている。
【００２１】
このため、フリーアクセスフロア２２は、フロアパネル２０に形成された貫通孔２０ａと、タイルカーペット３２に形成された通気孔３２ａとを通って、床下空間３０ａから床上空間３０ｂに空気が吹き出して、床上の部屋（床上空間３０ｂ）の暖房や冷房等の空調を行なうことができる、床吹出し空調方式のフリーアクセスフロアになっている。
【００２２】
フロアパネル２０は、図４に示すように、平板状のトップシート３４と、外周部より内側に箱状の補強部３８が形成されたボトムシート３６とで構成されている。これらのトップシート３４とボトムシート３６は共に鋼板材を用いて形成されている。
【００２３】
図２に示すように、フロアパネル２０のトップシート３４は、その平面形状が略正方形であり、一定の厚さを有する平板状に形成されている。そして、トップシート３４にはその厚さ方向に貫通する多数の、長孔状の貫通孔３４ａが形成されている。
【００２４】
図３及び図４に示すように、フロアパネル２０のボトムシート３６の、補強部３８の底面３８ａの周部より中央側には、ボトムシート３６の強度を向上させるために、その底面３８ａからトップシート３４側に深さを有する段差面３８ｂが形成されており、さらにその段差面３８ｂには、トップシート３４に向かって凹んだ補強形状部４０が多数箇所に形成されている。
【００２５】
この補強形状部４０は、図４に示すように、プレス絞り加工により、略半球状に凹むよう形成されている。また、補強形状部４０には、トップシート３４に向かって凹んだ最奥部に、平坦部４２（底部）が形成されており、その周囲の球面部には、図３に示すように、平坦部４２を囲んでその放射方向に長軸を有する、６つの楕円状の貫通孔４０ａが形成されている。
【００２６】
したがって、フロアパネル２０の上記トップシート３４に形成された長孔状の貫通孔３４ａと、上記ボトムシート３６の補強形状部４０の球面部の貫通孔４０ａは共に、図１におけるフロアパネル２０に形成された貫通孔２０ａを構成している。
【００２７】
図３に示すフロアパネル２０は、図４に示すフロアパネル２０を同図中下側から見た状態を示す図であり、図３に示すフロアパネル２０における、多数箇所に形成されている補強形状部４０のそれぞれの開口径は、フロアパネル２０の裏面側のボトムシート３６の段差面３８ｂにおいて最も大きく、トップシート３４側（図４中上側）に向かうにつれて小さくなっている。
【００２８】
図４に示すように、ボトムシート３６は、その外周部に形成されたフランジ部３８ｃと、補強形状部４０の先端の平坦部４２とが、トップシート３４に当接し、これらの当接部分を、溶接により接合するようになっている。このため、フロアパネル２０は、トップシート３４とボトムシート３６との間の内部に空間を有する中空状になっている。
【００２９】
フリーアクセスフロア２２の支持脚２８は、図５に示すように、フロアパネル２０を支持するパネル調整台２８ａと、その下端部に同一軸線上に連結され、支持板４８から立設した脚部２８ｂとを有している。そして、パネル調整台２８ａの下端部から脚部２８ｂにわたって、その外側に円筒状の蓄熱材５０が設けられている。
【００３０】
ここで、蓄熱材５０には、例えば、パラフィン系潜熱蓄熱材を用いることができる。このパラフィン系潜熱蓄熱材は、種々の態様、例えば、ゲル、エマルジョン、ビーズ、スラリー、シリカコーティング品等の態様をとることができる。
【００３１】
例えば、上記蓄熱材５０には、ゲル状の態様を選んで、そのゲル状の潜熱蓄熱材を中に充填した、適切なプラスチックの包装袋において、適切な厚さの板状に形成されたものを用いることができる。
【００３２】
このような、蓄熱材５０が充填されて板状に形成されたプラスチックの包装袋を、上記パネル調整台２８ａの下端部から脚部２８ｂの外側に巻きつけて、ひもや接着剤等を用いて固定することができる。
【００３３】
したがって、フロアパネル２０の下方から上方に空気が通る際には、空気は蓄熱材５０に接触するので、蓄熱材５０から放熱される高温度や低温度の熱により、蓄熱材５０の近傍を通る空気を暖めたり冷やしたりすることができる。このため、空調機３１が消費するエネルギーを軽減することができる。
【００３４】
また、蓄熱材５０は、フリーアクセスフロア２２の支持脚２８の、パネル調整台２８ａの下端部から脚部２８ｂの外側に設けられているので、例えば、床下に新たに電子機器のコードを通す場合には、フロアパネル２０のみを外して移動させるだけで済み、フリーアクセスフロア２２の使い勝手が悪化することを防止することができる。
【００３５】
また、支持脚２８のパネル調整台２８ａの下端部から脚部２８ｂの外側に、円筒状の蓄熱材５０を設けるだけで済むので、フリーアクセスフロア２２の構造が複雑化するのを防止することができる。
【００３６】
以上説明したように、本発明の第１の実施の形態に係るフリーアクセスフロア２２によれば、フリーアクセスフロア２２の使い勝手が悪化するのを防止することができると共に、フリーアクセスフロア２２の構造が複雑化することを防止でき、かつ、空調機３１が消費するエネルギーを軽減することができる。
【００３７】
図７及び図８は、本発明の第２の実施の形態に係るフリーアクセスフロア５２について説明するために参照する図である。
【００３８】
前記第１の実施の形態にかかるフリーアクセスフロア２２においては、支持脚２８のパネル調整台２８ａの下方の脚部２８ｂの外側に、円筒状の蓄熱材５０を設けていたのに対して、この第２の実施の形態に係るフリーアクセスフロア５２においては、支持脚５４のパネル調整台５４ａの下方の脚部５４ｂの外側に、複数の板状の蓄熱材６０を設けたものである点において異なるものである。
【００３９】
すなわち、この第２の実施の形態に係るフリーアクセスフロア５２の、複数の板状の蓄熱材６０は、パネル調整台２８ａの下方の脚部２８ｂの周りに、図８に示すように、この脚部２８ｂの半径方向及び軸線方向と平行な平面を有する複数の、プラスチックの包装袋内に充填された板状の蓄熱材６０それぞれの、幅方向の片方の、長さ方向の側辺部を一体的に設けたものである。すなわち、蓄熱材６０の平面が脚部５４ｂの軸線を中心とした放射方向（半径方向）に沿うように、蓄熱材６０を脚部５４ｂの外側に設けたものである。
【００４０】
このような本発明の、第２の実施の形態に係るフリーアクセスフロア５２によれば、フロアパネル２０の下方から上方に空気が通る際には、空気は蓄熱材６０に接触するので、蓄熱材６０から放熱される高温度や低温度の熱により、フロアパネル２０を通る空気を暖めたり冷やしたりすることができる。このため、空調機３１が消費するエネルギーを軽減することができる。
【００４１】
また、蓄熱材６０は、フリーアクセスフロア５２の支持脚５４の、パネル調整台５４ａの下方の脚部５４ｂの外側に設けられているので、例えば、床下に新たに電子機器のコードを通す場合には、フロアパネル２０のみを外して移動させるだけで済み、他にどかしたりする物は無いので、フリーアクセスフロア５２の使い勝手が悪化することを防止することができる。
【００４２】
また、支持脚５４のパネル調整台５４ａの下端部から脚部５４ｂの外側に、支持脚５４の半径方向及び軸線方向と平行な平面を有する、板状の複数の蓄熱材６０を設けるだけで済むので、フリーアクセスフロア５２の構造が従来のように複雑化するのを防止することができる。
【００４３】
以上説明したように、本発明の第２の実施の形態に係るフリーアクセスフロア５２によれば、フリーアクセスフロア５２の使い勝手が悪化するのを防止することができると共に、フリーアクセスフロア５２の構造が複雑化することを防止でき、かつ、空調機３１が消費するエネルギーを軽減することができる。
【００４４】
なお、前記第１の実施の形態に係るフリーアクセスフロア２２においては、蓄熱材５０として、ゲル状の態様のパラフィン系潜熱蓄熱材をプラスチックの包装袋に充填したものを用いたが、このパラフィン系潜熱蓄熱材はゲル状の態様のものに限定する必要は無く、他の態様の潜熱蓄熱材を用いることもできる。
【００４５】
また、前記第２の実施の形態に係るフリーアクセスフロア５２においては、８枚のプラスチックの包装袋内に板状になるように充填された蓄熱材６０を用いた場合について説明したが、８枚に限定する必要は無く、他の枚数の蓄熱材６０を用いてもよい。
【符号の説明】
【００４６】
２０  フロアパネル
２０ａ  貫通孔
２２  フリーアクセスフロア
２４  コンクリート面
２８  支持脚
２８ａ  パネル調整台
２８ｂ  脚部
３０  部屋
３０ａ  床下空間
３０ｂ  床上空間
３０ｃ  給気口
３０ｄ  排気口
３１  空調機
３２  タイルカーペット
３２ａ  通気孔
３４  トップシート
３４ａ  貫通孔
３６  ボトムシート
３８  補強部
３８ａ  底面
３８ｂ  段差面
３８ｃ  フランジ部
４０  補強形状部
４０ａ  貫通孔
４２  平坦部
４８  支持板
５０  蓄熱材
５２  フリーアクセスフロア
５４  支持脚
５４ａ  パネル調整台
５４ｂ  脚部
６０  蓄熱材
【図１】
0005623769.tif 000002
【図２】
0005623769.tif 000003
【図３】
0005623769.tif 000004
【図４】
0005623769.tif 000005
【図５】
0005623769.tif 000006
【図６】
0005623769.tif 000007
【図７】
0005623769.tif 000008
【図８】
0005623769.tif 000009